(57)【要約】【課題】発光素子の色の変化のパターンの作成を簡略化する技術を提供する。【解決手段】設計支援装置は、表示部と、受付部と、変更部と、更新部とを備える。表示部は、軸に沿って発光素子の色の変化を示す変化情報に対応する変化画像と、色を指定する色情報に対応する色画像と、を表示装置に表示させる。受付部は、軸上の点と色画像との関連付けの指定を受け付ける。変更部は、第１色の第１色画像が関連付けられた軸上の第１点と、第１色画像と隣り合う、第２色の第２色画像が関連付けられた軸上の第２点との間で、発光素子の色が第１色から第２色に変化するように表示装置に表示させる変化画像を変更する。更新部は、変更部により変更された変化画像に応じて変化情報を更新する。【選択図】図２
2019111295.tif 000002
【特許請求の範囲】
【請求項１】
軸に沿って発光素子の色の変化を示す変化情報に対応する変化画像と、色を指定する色情報に対応する色画像と、を表示装置に表示させる表示部と、
前記軸上の点と前記色画像との関連付けの指定を受け付ける受付部と、
第１色の第１色画像が関連付けられた前記軸上の第１点と、前記第１色画像と隣り合う、第２色の第２色画像が関連付けられた前記軸上の第２点との間で、前記発光素子の色が前記第１色から前記第２色に変化するように前記表示装置に表示させる変化画像を変更する変更部と、
前記変更部により変更された変化画像に応じて前記変化情報を更新する更新部と、
を備えることを特徴とする設計支援装置。
【請求項２】
前記受付部は、
前記第１色画像の移動を受け付け、
前記変更部は、
前記第１色画像が移動されたとき、前記第１色画像の移動先の位置に応じて前記第１色画像と前記軸上の新たな第１点とを関連付け、前記新たな第１点と隣り合う前記軸上の第２点との間で、前記発光素子の色が前記第１色から前記第２色に変化するように前記表示装置に表示させる変化画像を変更する
ことを特徴とする請求項１に記載の設計支援装置。
【請求項３】
前記変更部は、
前記第１点から前記第２点の間で徐々に前記発光素子の色が前記第１色から前記第２色に変化するように、前記表示装置に表示させる前記変化画像を変更する
ことを特徴とする請求項１または２に記載の設計支援装置。
【請求項４】
前記受付部は、
前記第１点と前記第２点との間に含まれる第３点の選択を受け付け、
前記変更部は、
前記受付部により前記第３点の選択が受け付けられたとき、前記第１点と前記第２点との間の前記発光素子の色を前記第１色または前記第２色に固定するように、前記表示装置に表示させる前記変化画像を変更する
ことを特徴とする請求項１から３のいずれか一つに記載の設計支援装置。
【請求項５】
前記設計支援装置は、さらに、
筐体の形状情報と、前記筐体に配置される発光素子の配置情報とを取得し、前記筐体に前記発光素子を配置する配置部と、
筐体に配置された発光素子が選択された状態で、前記変化情報が指定されると、前記選択された発光素子に前記変化情報を割り当てる割当部と、
を備え、
前記表示部は、
前記筐体に前記発光素子が配置された状態を示す構成画像を前記表示装置に表示させ、
前記受付部は、
前記筐体に配置された前記発光素子の選択と、前記変化情報の指定とを受け付ける
ことを特徴とする請求項１から４のいずれか一つに記載の設計支援装置。
【請求項６】
前記表示部は、さらに、
前記発光素子に割り当てられた前記変化情報にしたがって、前記筐体に配置された前記発光素子の色の変化を表現する動画を、表示装置に表示させる
を備えることを特徴とする請求項５に記載の設計支援装置。
【請求項７】
前記設計支援装置は、さらに、
前記発光素子に割り当てられた前記変化情報を含む割当情報を出力する出力部
を備えることを特徴とする請求項５または６に記載の設計支援装置。
【請求項８】
プロセッサにより実行される設計支援方法であって、
前記プロセッサは、
軸に沿って発光素子の色の変化を示す変化情報に対応する変化画像と、色を指定する色情報に対応する色画像と、を表示装置に表示させ、
前記軸上の点と前記色画像との関連付けの指定を受け付け、
第１色の第１色画像が関連付けられた前記軸上の第１点と、前記第１色画像と隣り合う、第２色の第２色画像が関連付けられた前記軸上の第２点との間で、前記発光素子の色が前記第１色から前記第２色に変化するように前記表示装置に表示させる変化画像を変更し、
前記変更部により変更された変化画像に応じて前記変化情報を更新する
ことを特徴とする設計支援方法。
【請求項９】
軸に沿って発光素子の色の変化を示す変化情報に対応する変化画像と、色を指定する色情報に対応する色画像と、を表示装置に表示させ、
前記軸上の点と前記色画像との関連付けの指定を受け付け、
第１色の第１色画像が関連付けられた前記軸上の第１点と、前記第１色画像と隣り合う、第２色の第２色画像が関連付けられた前記軸上の第２点との間で、前記発光素子の色が前記第１色から前記第２色に変化するように前記表示装置に表示させる変化画像を変更し、
前記変更部により変更された変化画像に応じて前記変化情報を更新する
処理をプロセッサに実行させることを特徴とする設計支援プログラム。
【発明の詳細な説明】
【技術分野】
【０００１】
本発明は、設計を支援する技術に関する。
【背景技術】
【０００２】
パチンコやスロットなどの遊技機で用いられる設計支援装置は、筐体に配置される発光素子の位置の入力を受け付ける。また、設計支援装置は、入力された位置にしたがって、筐体上に発光素子を配置した画像を表示装置に表示させる。そして、ユーザは、表示装置の表示を確認しながら発光素子の発光を制御する駆動設計を行う技術が知られている。
【０００３】
関連する技術として、発光表示システムは、編集装置のモニタ画面上にグリッド線を表示すると共に、グリッド線上に座標系を設定する。また、発光表示システムは、表示部に配置したＬＥＤランプを表すマークを、実際のＬＥＤランプに合わせてモニタ画面に表示したグリッド上に配置する。そして、発光表示システムは、配置したマークの位置は座標位置情報で扱い、この座標位置情報に基づいて発光制御データを作成する技術が知られている（例えば、特許文献１）。
【先行技術文献】
【特許文献】
【０００４】
【特許文献１】特開２００５−１５７０１８号公報
【発明の概要】
【発明が解決しようとする課題】
【０００５】
前述した設計支援技術において、発光素子の発光を制御するとき、発光素子の色の変化のパターンをパラメータの指定により作成する。このため、作成しようとする色の変化のパターンが複雑になると、パラメータの指定も複雑になるため、発光素子の色の変化のパターンの作成が困難になることがある。
本発明は、一側面として、発光素子の色の変化のパターンの作成を簡略化する技術を提供する。
【課題を解決するための手段】
【０００６】
本明細書で開示する設計支援装置のひとつに、表示部と、受付部と、変更部と、更新部とを備える設計支援装置がある。表示部は、軸に沿って発光素子の色の変化を示す変化情報に対応する変化画像と、色を指定する色情報に対応する色画像と、を表示装置に表示させる。受付部は、軸上の点と色画像との関連付けの指定を受け付ける。変更部は、第１色の第１色画像が関連付けられた軸上の第１点と、第１色画像と隣り合う、第２色の第２色画像が関連付けられた軸上の第２点との間で、発光素子の色が第１色から第２色に変化するように表示装置に表示させる変化画像を変更する。更新部は、変更部により変更された変化画像に応じて変化情報を更新する。
【発明の効果】
【０００７】
１実施態様によれば、発光素子の色の変化のパターンの作成を簡略化することができる。
【図面の簡単な説明】
【０００８】
【図１】遊技機の一例を示す図である。
【図２】設計支援装置の一実施例を示す機能ブロック図である。
【図３】変化情報テーブルの一例を示す図である。
【図４】割当情報テーブルの一例を示す図である。
【図５】表示画面の一例を示す図である。
【図６】変化情報の設定画面の一例を示す図（その１）である。
【図７】変化画像の設定画面の一例を示す図（その２）である。
【図８】変化画像の設定画面の一例を示す図（その３）である。
【図９】変化画像の一例を示す図（その１）である。
【図１０】変化画像の一例を示す図（その２）である。
【図１１】変化画像の一例を示す図（その３）である。
【図１２】変化画像の一例を示す図（その４）である。
【図１３】割当情報の設定画面の一例を示す図（その１）である。
【図１４】変化情報の更新の一例を示すフローチャート（その１）である。
【図１５】変化情報の更新の一例を示すフローチャート（その２）である。
【図１６】変化情報の割当の一例を示すフローチャート（その１）である。
【図１７】変化情報の割当の一例を示すフローチャート（その２）である。
【図１８】コンピュータ装置の一実施例を示すブロック図である。
【発明を実施するための形態】
【０００９】
［実施形態］
実施形態の設計支援装置について説明する。
図１は、遊技機の一例を示す図である。
以下の説明では、図１に示す遊技機１００の設計を一例として説明するが、本発明の設計支援装置は、遊技機に限らず他の装置の設計に用いられてもよい。
【００１０】
図１を参照して、設計支援装置の設計支援処理の特徴を説明する。
遊技機１００は、筐体と、筐体に配置される演出用の部材と、図示しない打球の発射装置などを含んで構成される。筐体は、外枠１１０と、前面部材１２０とを含んで構成される。前面部材１２０は、発光素子から放射される光を透過する透明または半透明の部材である。発光素子とは、例えば、ＬＥＤ（Ｌｉｇｈｔ  Ｅｍｉｔｔｉｎｇ  Ｄｉｏｄｅ）、及び白熱電球などで構成される。
【００１１】
遊技機１００の筐体には、発光素子１３１及びその他の白マルで示される発光素子１３０が配置される。発光素子１３０は、例えば、三色のＬＥＤまたは三色の白熱電球を含み、各ＬＥＤまたは各白熱電球の輝度を調整することにより、放射する光の色を変化させる。これにより、発光素子１３０は、色の調整を可能とする。以下の説明では、発光素子から放射する光の色のことを、発光素子の色ともいう。また、発光素子の色の変化のパターンのことを、発光素子の色の変化ともいう。
【００１２】
さらに、遊技機１００の筐体には、発光素子１４１から１４３で示される赤色の発光素子１４０と、発光素子１５１から１５５で示される青色の発光素子１５０と、発光素子１６１から１６８で示される緑色の発光素子１６０とが配置される。また、遊技機１００の筐体には、各種演出を表示する表示装置１７０が配置される。
【００１３】
設計支援装置は、発光素子から放射する光の色の変化のパターンを含む変化情報に対応する、変化画像を表示装置に表示させ、変化画像の変更を受け付ける。そして、設計支援装置は、変更された変化画像に応じて、発光素子の色の変化を制御するための変化情報を更新する。これにより、設計支援装置は、発光素子の色の変化のパターンの作成を簡略化する。
【００１４】
設計支援装置の処理について、より具体的に説明する。
以下の説明では、設計支援装置の処理の一例として、発光素子１３０の発光を制御するための割当情報を出力する処理を説明する。
【００１５】
図２は、設計支援装置の一実施例を示す機能ブロック図である。
設計支援装置１は、制御部１０と、記憶部２０とを備える。そして、設計支援装置１は、表示装置３０と接続される。なお、設計支援装置１は、表示装置３０を含んで構成されてもよい。
【００１６】
制御部１０は、配置部１１と、表示部１２と、受付部１３と、変更部１４と、更新部１５と、割当部１６と、出力部１７とを含む。記憶部２０は、形状情報２１と、配置情報２２と、変化情報２３と、色情報２４と、割当情報２５とを記憶する。各情報は、記憶部２０に複数格納されてもよい。
【００１７】
形状情報２１は、筐体の形状と、発光素子の形状とを示すデータを格納する。筐体の形状と、発光素子の形状とを示すデータとは、例えば、ＣＡＤ（ｃｏｍｐｕｔｅｒ−ａｉｄｅｄ  ｄｅｓｉｇｎ）などで作成された、筐体の形状を示す図面のデータと、発光素子の形状を示す図面のデータである。
【００１８】
配置情報２２は、筐体に配置される発光素子の位置を示すデータを格納する。発光素子の位置を示すデータとは、例えば、ＣＡＤなどで作成された、筐体内に配置される発光素子の位置を示すデータである。
変化情報２３は、時間軸に沿って、所定の時間の間に変化する発光素子の色の変化のパターンを指定する情報を含むデータを格納する。
【００１９】
図３は、変化情報テーブルの一例を示す図である。図３を参照して、変化情報２３についてさらに説明する。
変化情報テーブル２３１は、記憶部２０に記憶されている変化情報２３に含まれる情報を示すものであり、例えば、グループ名と、識別子と、変化時間と、属性とを格納する。
【００２０】
グループ名は、変化情報２３のグループ分けを示す情報である。変化情報２３のグループ分けは、例えば、変化情報２３を特徴により分けるなどして、適宜設定されてもよい。また、グループ名は、例えば、グループに含まれる変化情報２３の特徴により、適宜設定されてもよい。
【００２１】
識別子は、変化情報２３を識別する情報である。識別子は、例えば、変化情報２３で設定されている色の変化のパターンの特徴に応じて、適宜設定されてもよい。以下の説明では、変化情報テーブル２３１に格納されている識別子ａ１、識別子ａ２、及び識別子ｂ１に対応する各変化情報２３を示すとき、それぞれ変化情報２３ａ１、変化情報２３ａ２、及び変化情報２３ｂ１という。
変化時間は、変化情報２３の色の変化のパターンのクリップの時間の長さを示す情報である。変化時間は、例えば、作成する発光素子の色の変化のパターンに応じて、適宜設定されてもよい。
属性は、後述する割当情報２５に変化情報２３を割り当てた状態で、変化情報２３のクリップの時間の長さを変更したとき、どのように色の変化のパターンを変化させるかを示す情報である。属性は、例えば、どのように発光素子に変化情報２３を割り当てるかに応じて、ユーザにより適宜設定されてもよい。
【００２２】
図２を参照して説明する。
色情報２４は、指定の時点における発光素子の色を指定するための色画像を含む情報である。
割当情報２５は、発光素子に対する変化情報２３の割り当てを示す情報である。
【００２３】
図４は、割当情報テーブルの一例を示す図である。図４を参照して、割当情報２５についてさらに説明する。
割当情報テーブル２５１は、記憶部２０に記憶されている割当情報２５に含まれる情報を示すものであり、例えば、識別子と、割当時間と、ループ回数とを格納する。
識別子は、割当情報２５を識別する情報である。識別子は、例えば、割当情報２５に割り当てられている発光素子の色の変化のパターンの特徴に応じて、ユーザにより適宜設定されてもよい。以下の説明では、割当情報テーブル２５１に格納されている識別子ｐ１、識別子ｐ２、及び識別子ｐ３に対応する各割当情報２５を示すとき、それぞれ割当情報２５ｐ１、割当情報２５ｐ２、及び割当情報２５ｐ３という。
【００２４】
割当時間は、割当情報２５に割り当てられた発光素子の色の変化のパターンの時間の長さを示す情報である。
ループ回数は、割当情報２５に割り当てられた発光素子の色の変化のパターンを再生するとき、何回繰り返して再生するかを示す情報である。ループは、例えば、遊技機１００の演出に応じて、ユーザにより適宜設定されてもよい。
【００２５】
図２を参照して説明する。
配置部１１は、受付部１３により、設計支援処理の開始が受け付けられたとき、形状情報２１と配置情報２２とを取得し、図１に示すように、筐体に発光素子を配置する。
表示部１２は、筐体に発光素子が配置された状態を示す構成画像を表示装置３０に表示させる。構成画像とは、例えば、図１に示す、筐体に発光素子が配置された状態の遊技機１００の画像である。
【００２６】
表示部１２は、割当情報２５にしたがって、筐体に配置された発光素子の色の変化のパターンを示す動画を、表示装置３０に表示させる。筐体に配置された発光素子の色の変化のパターンを示す動画とは、表示装置３０に表示された発光素子の色、明るさ、及び点滅状態を経時的に変化させることにより、筐体に配置された発光素子の色、明るさ、及び点滅状態の時間的変化を示す動画のことである。
【００２７】
図５は、表示画面の一例を示す図である。図５を参照して、表示部１２による表示処理について、さらに説明する。
表示部１２は、設計支援処理が開始されると、筐体に発光素子が配置された遊技機１００と、記憶部２０に記憶されている変化情報２３の一覧を示す変化情報テーブル２３１と、変化情報２３の設定画面２３２とを表示装置３０に表示させる。さらに、表示部１２は、作成３１１と、割当３１２との受付画像を表示する。
さらに、表示部１２は、変化情報２３の割当処理が開始されると、記憶部２０に記憶されている割当情報２５の一覧を示す割当情報テーブル２５１と、割当情報２５の設定画面２５２とを表示装置３０に表示させる。
【００２８】
図６から図８は、変化情報の設定画面の一例を示す図である。また、図９から図１２は、変化画像の一例を示す図である。図５から図１２を参照して、表示部１２と、受付部１３と、変更部１４と、更新部１５とによる変化情報２３の更新処理を説明する。
【００２９】
受付部１３は、図５に示す、作成３１１の選択を受け付ける。表示部１２は、受付部１３により、作成３１１の選択が受け付けられると、図６に示す設定画面２３２を表示装置３０に表示させる。また、受付部１３は、図５に示す、変化情報テーブル２３１のレコードの選択を受け付けてもよい。表示部１２は、例えば、変化情報テーブル２３１において、識別子ａ１に関連付けられているレコードの選択を受け付けると、図７に示す変化情報２３ａ１の設定画面２３２を表示装置３０に表示させる。以下の説明では、作成３１１が選択されたものとして説明する。
【００３０】
図６を参照して説明する。
図６に示すように、設定画面２３２は、変化画像５１と、色画像５２ａと、設定フォーム５３とを表示する。以下の説明では、図６から図１２に示す色画像５２ａから色画像５２ｃの一部、または全てを色画像５２ともいう。色画像５２ａは、赤色であるものとする。色画像５２ｂは、白色であるものとする。色画像５２ｃは、青色であるものとする。上記の色の指定は一例であり、各色画像５２の色は、ユーザにより適宜選択可能である。設計支援装置１による各色画像５２の色の選択の受付処理の一例としては、例えば、色画像５２の近傍にマウスのポインタを合わせて右クリックされることにより、色の選択を受け付けるＧＵＩを表示装置３０に表示させ、ユーザによる色の選択を受け付けてもよい。選択の受付処理は、例えば、受付部１３により受付けられてもよい。ＧＵＩとは、Ｇｒａｐｈｉｃａｌ  Ｕｓｅｒ  Ｉｎｔｅｒｆａｃｅの略である。
【００３１】
変化画像５１は、時間軸に沿って、発光素子の色の変化のパターンを示す画像である。変化画像５１の横軸は、時間軸を示す。変化画像５１の時間軸のスケールは、変化情報２３のクリップの時間の長さに対応する。そして、図６において、変化画像５１には、発光素子の色の変化のパターンの開始時刻の時点Ｔａに色画像５２ａが関連付けられている。
【００３２】
色画像５２は、変化画像５１の時間軸と関連付けられ、関連付けられた時点Ｔでの発光素子の色の指定を示す画像である。色画像５２は、例えば、引き出し線により変化画像５１との関連付けを示してもよい。色画像５２ａの引き出し線ｌａは、図６において、変化画像５１で示される色の変化のパターンの開始の時点Ｔａに接続されている。したがって、色画像５２ａは、変化画像５１の時間軸上で、時点Ｔａに関連付けられている。
【００３３】
色画像５２の下にある、グリッドに合わせる、のチェックボックスｃｂは、色画像５２を変化画像５１の時間軸に沿って移動させるとき、変化画像５１のグリッドに、色画像５２の関連付けの位置を合わせるか否かの選択を受け付けるものである。受付部１３は、例えば、色画像５２のドラッグアンドドロップが入力されることにより、色画像５２を変化画像５１の時間軸に沿って移動させてもよい。
設定フォーム５３は、識別子の入力欄と、グループ名の選択欄と、属性の選択ボタンと、クリップの長さの設定欄とを含む。
【００３４】
識別子の入力欄は、変化情報２３の識別子の入力を受け付ける。グループ名の選択欄は、グループ名の選択を受け付ける。属性の選択ボタンは、属性の選択を受け付ける。クリップの長さの設定欄は、クリップの時間の長さの設定を受け付ける。
【００３５】
図９から図１２を参照して、変化画像５１の変更について説明する。
表示部１２は、作成３１１が選択されると、図９（ａ）に示すように、時点Ｔａに赤色の色画像５２ａを関連付けた状態を示す変化画像５１ａを表示する。作成３１１が選択されたときに表示される初期の変化画像５１は、変化画像５１ａに限らず、例えば、図９（ｃ）に示す変化画像５１ｃなどの他の変化画像５１に設定されてもよい。その場合には、変化画像５１の変更処理を、他の変化画像５１に対して実行する。以下の説明では、初期の変化画像５１は、変化画像５１ａであるものとして説明する。
【００３６】
受付部１３は、変化画像５１の時間軸上で、発光素子の色の変化のパターンの終了の時点Ｔｃと青色の色画像５２ｃとの関連付けの指定を受け付ける。表示部１２は、時間軸上の時点Ｔｃと新たな色画像５２ｃとの関連付けが指定されると、図９（ｂ）に示すように、時点Ｔｃに青色の色画像５２ｃを関連付けた状態を示す変化画像５１ｂを表示する。受付部１３は、時点Ｔと色画像５２との選択及び関連付けを、例えば、設定画面２３２上でのマウスやタッチパネルの操作により受付けてもよい。設計支援装置１による時点Ｔと色画像５２との関連付けの受付処理の一例としては、例えば、変化画像５１の近傍にマウスのポインタを合わせて右クリックされることにより、色の選択を受け付けるＧＵＩを表示装置３０に表示させ、ユーザによる色の選択を受け付ける。そして、設計支援装置１は、マウスのポインタが右クリックされた位置に応じて、時点Ｔと選択された色の色画像５２とを関連付けてもよい。関連付けの受付処理は、例えば、受付部１３により受付けられてもよい。
【００３７】
変更部１４は、図９（ｂ）に示すように、赤色の色画像５２ａが関連付けられた軸上の時点Ｔａと、色画像５２ａと隣り合う、青色の色画像５２ｃが関連付けられた軸上の時点Ｔｃとの間で、発光素子の色を赤色から青色に変化させるように変更する。これにより、変更部１４は、表示装置３０に表示させる変化画像５１ａを変化画像５１ｂに変更する。このとき、変更部１４は、図９（ｂ）に示すように、隣り合う時点Ｔａと時点Ｔｃとの間で、徐々に発光素子の色が赤から青に変化するように、表示装置３０に表示させる変化画像５１を変更し、変化画像５１ｂを作成する。
【００３８】
受付部１３は、変化画像５１上で、白色の色画像５２ｂと時間軸上の時点Ｔｂとの関連付けの指定を受け付ける。表示部１２は、時間軸上の時点Ｔｂと新たな色画像５２ｂとの関連付けが指定されると、図９（ｃ）に示すように、時点Ｔｂに白色の色画像５２ｂを関連付けた状態を示す変化画像５１ｃを表示する。
【００３９】
変更部１４は、図９（ｃ）に示すように、赤色の色画像５２ａが関連付けられた軸上の時点Ｔａと、色画像５２ａと隣り合う、白色の色画像５２ｂが関連付けられた軸上の時点Ｔｂとの間で、発光素子の色を赤色から白色に変化させるように変化画像５１を変更する。さらに、変更部１４は、図９（ｃ）に示すように、白色の色画像５２ｂが関連付けられた軸上の時点Ｔｂと、色画像５２ｂと隣り合う、青色の色画像５２ｃが関連付けられた軸上の時点Ｔｃとの間で、発光素子の色を白色から青色に変化させるように変化画像５１を変更する。これにより、変更部１４は、表示装置３０に表示させる変化画像５１を、変化画像５１ｂから変化画像５１ｃに変更する。
【００４０】
受付部１３は、色画像５２の選択と、選択された色画像５２の移動を受け付ける。変更部１４は、例えば、図９（ｃ）の状態から図９（ｄ）の状態に色画像５２ｂが移動されたとき、色画像５２ｂの移動先の位置に応じて色画像５２ｂと軸上の新たな時点Ｔｂとを関連付ける。そして、変更部１４は、新たな時点Ｔｂと隣り合う時点Ｔａとの間で、発光素子の色を赤色から白色に変化させるように、変化画像５１を変更する。さらに、変更部１４は、新たな時点Ｔｂと隣り合う時点Ｔｃとの間で、発光素子の色が白色から青色に変化させるように、変化画像５１を変更する。これにより、変更部１４は、表示装置３０に表示させる変化画像５１を、変化画像５１ｃから変化画像５１ｄに変更する。
【００４１】
変更部１４は、図９（ｂ）から図９（ｄ）に示すように、変化画像５１を変更するとき、隣り合う時点の間で徐々に発光素子の色が変化するように、変化画像５１を変更する。
【００４２】
受付部１３は、変化画像５１上で、隣り合う時点の間の範囲に含まれる時点の選択を受け付ける。変更部１４は、受付部１３により隣り合う時点の間の範囲に含まれる時点の選択が受け付けられたとき、隣り合う時点の間の発光素子の色を隣り合う時点のいずれかの時点の色に固定するように、表示装置３０に表示させる変化画像５１を変更する。受付部１３は、例えば、マウスやタッチパネルなどの操作により、隣り合う時点の間の範囲に含まれる時点の選択を受け付けてもよい。以下の説明では、変更部１４は、受付部１３により隣り合う時点の間の範囲に含まれる時点の選択が受け付けられたとき、隣り合う時点の間の発光素子の色を、選択された時点より前の時点の発光素子の色に固定するものとして説明する。
【００４３】
変更部１４は、図９（ｃ）の変化画像５１ｃの時点Ｔａと時点Ｔｂとの間の時点の選択が受け付けられたとき、図１０（ｅ）に示すように、時点Ｔａと時点Ｔｂとの間の発光素子の色を、時点Ｔａに関連付けられている色画像５２ａの色である赤色に固定する。そして、変更部１４は、表示装置３０に表示させる変化画像５１を、変化画像５１ｃから変化画像５１ｅに変更する。なお、変更部１４は、図１１（ｉ）に示すように、時点Ｔａと時点Ｔｂとの間の発光素子の色を、選択された時点より後の時点Ｔｂにおける発光素子の色である白色に固定してもよい。
【００４４】
また、変更部１４は、図９（ｃ）の変化画像５１ｃの時点Ｔｂと時点Ｔｃとの間の時点の選択が受け付けられたとき、図１０（ｆ）に示すように、時点Ｔｂと時点Ｔｃとの間の発光素子の色を、時点Ｔｂに関連付けられている色画像５２ｂの色である白色に固定する。そして、変更部１４は、表示装置３０に表示させる変化画像５１を、変化画像５１ｃから変化画像５１ｆに変更する。なお、変更部１４は、図１１（ｊ）に示すように、時点Ｔｂと時点Ｔｃとの間の発光素子の色を、選択された時点より後の時点Ｔｃにおける発光素子の色である青色に固定してもよい。
【００４５】
変更部１４は、図９（ｄ）の変化画像５１ｄの時点Ｔａと時点Ｔｂとの間の時点の選択が受け付けられたとき、図１０（ｇ）に示すように、時点Ｔａと時点Ｔｂとの間の発光素子の色を、時点Ｔａに関連付けられている色画像５２ａの色である赤色に固定する。そして、変更部１４は、表示装置３０に表示させる変化画像５１を、変化画像５１ｄから変化画像５１ｇに変更する。なお、変更部１４は、図１１（ｋ）に示すように、時点Ｔｂと時点Ｔｃとの間の発光素子の色を、選択された時点より後の時点Ｔｂにおける発光素子の色である白色に固定してもよい。
【００４６】
また、変更部１４は、図９（ｄ）の変化画像５１ｄの時点Ｔｂと時点Ｔｃとの間の時点の選択が受け付けられたとき、図１０（ｈ）に示すように、時点Ｔｂと時点Ｔｃとの間の発光素子の色を、時点Ｔｂに関連付けられている色画像５２ｂの色である白色に固定する。そして、変更部１４は、表示装置３０に表示させる変化画像５１を、変化画像５１ｄから変化画像５１ｈに変更する。なお、変更部１４は、図１１（ｌ）に示すように、時点Ｔｂと時点Ｔｃとの間の発光素子の色を、選択された時点より後の時点Ｔｃにおける発光素子の色である青色に固定してもよい。
【００４７】
変更部１４は、隣り合う色画像５２がない時間の間の発光素子の色を、直前に関連付けられた色画像５２の色に固定してもよい。変更部１４は、例えば、図１２（ｍ）から図１２（ｏ）に示すように、色画像５２ｃが関連付けられた時点Ｔｃ以降の発光素子の色を青色に固定する。また、変更部１４は、例えば、図１２（ｐ）に示すように、色画像５２ａが関連付けられた時点Ｔａ以降の発光素子の色を赤色に固定する。また、変更部１４は、隣り合う色画像５２がない時間の間の発光素子の色を、設定された色に徐々に変化させてもよい。なお、変更部１４は、隣り合う色画像５２がない時間の間の発光素子の色を、直前に関連付けられた色画像５２の色に限らず適宜設定された色にしてもよい。また、変更部１４は、隣り合う色画像５２がない時間の間の発光素子の色を、前の時点に関連付けられた色画像５２の色から設定された色に徐々に変化させてもよい。
【００４８】
また、変更部１４は、隣り合う色画像５２がない時間の間において、直前に関連付けられた色画像５２がないとき、隣り合う色画像５２がない時間の間の発光素子の色を、白色に固定してもよい。変更部１４は、例えば、図１２（ｐ）に示すように、色画像５２ａが関連付けられた時点Ｔａより前の時間の間の発光素子の色を白色に固定する。なお、変更部１４は、隣り合う色画像５２がない時間の間の発光素子の色を、白色に限らず適宜設定された色にしてもよい。また、変更部１４は、隣り合う色画像５２がない時間の間の発光素子の色を、後の時点に関連付けられた色画像５２の色から設定された色に徐々に変化させてもよい。
【００４９】
図７を参照して説明する。
受付部１３は、識別子の入力欄ｓ１に入力する文字列の入力と、グループ名の選択欄ｓ２におけるグループ名の選択と、属性の選択ボタンｓ３の選択と、クリップの長さの設定欄ｓ４にけるクリップの長さの設定を受け付ける。受付部１３は、グループ名の選択を受け付けるとき、例えば、図８に示すように、プルダウンメニューの選択により、グループ名の選択をうけ受けてもよい。プルダウンメニューは、ユーザにより設定され、予め用意されてもよい。なお、受付部１３は、グループ名の選択を受け付けるとき、プルダウンメニューに限らず、入力欄への直接入力によりグループ名の選択を受け付けてもよい。
【００５０】
更新部１５は、変更部１４により変更された変化画像５１と、設定画面２３２を用いて受付部５１により受け付けられた情報とに応じて変化情報２３を更新する。そして、更新部１５は、更新した変化情報２３を記憶部２０に記憶する。
【００５１】
上述の説明においては、作成３１１が選択されたものとして説明したが、例えば、変化情報テーブル２３１のレコードに関連付けられた変化情報２３の選択を受け付けてもよい。この場合には、設計支援装置１は、選択された変化情報２３の情報が入力済みの設定画面２３２を表示して、選択された変化情報２３の変更と更新とを実行してよい。なお、更新部１５は、変化情報テーブル２３１のレコードが選択され、選択されたレコードに関連付けられた変化情報２３が変更されたとき、選択されたレコードに変更された変化情報２３を上書きしてもよい。
【００５２】
図２を参照して説明する。
受付部１３は、筐体に配置された発光素子の選択と、変化情報２３の指定とを受け付ける。そして、割当部１６は、筐体に配置された発光素子が選択された状態で、変化情報２３が指定されると、選択された発光素子に変化情報２３を割り当てる。
出力部１７は、発光素子に割り当てられた変化情報２３を含む割当情報２５を出力する。出力部１７は、例えば、受付部１３により割当情報２５の出力の要求が受け付けられたとき、割当情報２５を出力してもよい。
【００５３】
図１３は、割当情報の設定画面の一例を示す図である。図３から図５及び図１３を参照して、表示部１２と、受付部１３と、割当部１６とによる変化情報２３の割当処理を説明する。
図１３（ａ）は、変化情報２３が割り当てられる前の設定画面２５２である。図１３（ｂ）は、図３に示す変化情報テーブル２３１の変化情報２３が割り当てられた設定画面２５２である。図１３（ｃ）は、図４に示す割当情報テーブル２５１の識別子ｐ１に関連付けられた割当情報２５ｐ１が割り当てられた設定画面２５２である。図１３（ａ）から図１３（ｃ）に示す設定画面２５２の横軸は、時間軸である。以下の説明では、図１３（ａ）から図１３（ｃ）の時間軸に、３０００［ｍｓｅｃ］の時間の長さが設定されているものとする。なお、図１３（ａ）から図１３（ｃ）に示す設定画面２５２の横軸は、３０００［ｍｓｅｃ］に限らず、適宜設定された時間の長さが割り当てられてもよい。
【００５４】
受付部１３は、図５に示す、割当３１２の選択を受け付ける。表示部１２は、受付部１３により、割当３１２の選択が受け付けられると、設定画面２５２を表示装置３０に表示させる。
設定画面２５２は、再生ボタン６１と、停止ボタン６２と、割当画像６３Ａから６３Ｅとを含む。以下の説明では、割当画像６３Ａから割当画像６３Ｅの一部、または全てを割当画像６３ともいう。また、設定画面２５２は、発光素子の数に応じて、複数の割当画像を含んでもよい。
【００５５】
再生ボタン６１は、発光素子に割り当てた色の変化のパターンの再生を受け付けるボタンである。再生ボタン６１が選択されると、表示部２５は、割当情報２５に含まれる発光素子に割り当てた色の変化のパターンを表すように、遊技機１００上の発光素子の色、明るさ、及び点滅状態が変化する動画を、表示装置２５に表示させる。
停止ボタン６２は、発光素子に割り当てた色の変化のパターンの再生の停止を受け付けるボタンである。停止ボタン６２が選択されると、表示部２５は、再生している遊技機１００上の発光素子の色、明るさ、及び点滅状態が変化する動画を停止する。
割当画像６３は、時間軸に沿って、発光素子に割り当てられた色の変化のパターンを示す画像である。割当画像６３の横軸は、時間軸を示す。割当画像６３Ａから６３Ｅは、それぞれ発光素子ＡからＥの色の変化のパターンを示す画像である。以下の説明では、一例として、発光素子ＡからＥが選択され、それぞれに対応する割当情報２５を作成するものとして説明する。
【００５６】
受付部１３は、例えば、図５の破線７０に示す、遊技機１００に配置されている発光素子Ａから発光素子Ｅの選択と、割当３１２の選択とを受け付ける。すると、表示部１２は、図１３（ａ）に示す割当情報２５の設定画面２５２を表示装置３０に表示させる。なお、受付部１３は、例えば、筐体に発光素子を配置した遊技機１００の画像の中から、発光素子を選択されることにより、発光素子の選択を受け付けてもよい。また、受付部１３は、筐体に配置された発光素子の一覧のテーブルの中から、発光素子が選択されることにより、発光素子の選択を受け付けてもよい。
【００５７】
受付部１３は、例えば、図１３（ａ）に示す設定画面２５２の割当画像６３Ａと、図３に示す変化情報テーブル２３１の識別子ａ１のレコードとが選択されると、変化情報２３ａ１と割当情報２５Ａとの関連付けを受け付ける。表示部１２は、変化情報２３ａ１と割当情報２５Ａとの関連付けが受け付けられると、図１３（ｂ）に示す、変化情報２３ａ１に対応する変化画像５１ａ１を含む、割当画像６３Ａを表示装置３０に表示させる。そして、割当部１６は、発光素子Ａの割当情報２５Ａに変化情報２３ａ１を割り当てる。なお、変化情報２３ａ１の変化時間は、２０００［ｍｓｅｃ］なので、図１３（ｂ）に示す割当画像６３Ａのように、２０００［ｍｓｅｃ］の時間の間に変化情報２３ａ１に対応する変化画像５１ａ１が割り当てられる。
【００５８】
受付部１３は、例えば、図１３（ａ）に示す設定画面２５２の割当画像６３Ｂと、図３に示す変化情報テーブル２３１の識別子ａ２のレコードとが選択されると、変化情報２３ａ２と割当情報２５Ｂとの関連付けを受け付ける。表示部１２は、変化情報２３ａ２と割当情報２５Ｂとの関連付けが受け付けられると、図１３（ｂ）に示す、変化画像２３ａ２に対応する変化画像５１ａ２を含む、割当画像６３Ｂを表示装置３０に表示させる。そして、割当部１６は、発光素子Ｂの割当情報２５Ｂに変化情報２３ａ２を割り当てる。なお、変化情報２３ａ２の変化時間は、１０００［ｍｓｅｃ］なので、図１３（ｂ）に示す割当画像６３Ｂのように、１０００［ｍｓｅｃ］の時間の間に変化情報２３ａ２に対応する変化画像５１ａ２が割り当てられる。
【００５９】
受付部１３は、例えば、図１３（ａ）に示す設定画面２５２の割当画像６３Ｃと、図３に示す変化情報テーブル２３１の識別子ａ１のレコードとが選択されると、変化情報２３ａ１と割当情報２５Ｃとの関連付けを受け付ける。表示部１２は、変化情報２３ａ１と割当情報２５Ｃとの関連付けが受け付けられると、図１３（ｂ）に示す、変化画像２３ａ１に対応する変化画像５１ａ１を含む、割当画像６３Ｃを表示装置３０に表示させる。そして、割当部１６は、発光素子Ｃの割当情報２５Ｃに変化情報２３ａ１を割り当てる。なお、変化情報２３ａ１の変化時間は、２０００［ｍｓｅｃ］なので、図１３（ｂ）に示す割当画像６３Ｃのように、２０００［ｍｓｅｃ］の時間の間に変化情報２３ａ１に対応する変化画像５１ａ１が割り当てられる。
【００６０】
受付部１３は、例えば、図１３（ａ）に示す設定画面２５２の割当画像６３Ｄと、図３に示す変化情報テーブル２３１の識別子ｂ１のレコードとが選択されると、変化情報２３ｂ１と割当情報２５Ｄとの関連付けを受け付ける。表示部１２は、変化情報２３ｂ１と割当情報２５Ｄとの関連付けが受け付けられると、図１３（ｂ）に示す、変化画像２３ｂ１に対応する変化画像５１ｂ１を含む、割当画像６３Ｄを表示装置３０に表示させる。そして、割当部１６は、発光素子Ｄの割当情報２５Ｄに変化情報２３ｂ１を割り当てる。なお、変化情報２３ｂ１の変化時間は、１０００［ｍｓｅｃ］なので、図１３（ｂ）に示す割当画像６３Ｄのように、１０００［ｍｓｅｃ］の時間の間に変化情報２３ｂ１に対応する変化画像５１ｂ１が割り当てられる。
【００６１】
受付部１３は、例えば、図１３（ｂ）に示す割当画像６３Ｂに含まれる変化画像５１ａ２の引き延ばしの要求を受け付ける。表示部１２は、変化画像５１ａ２の引き延ばしの要求が受け付けられると、変換画像５１ａ２に対応する変化情報２３ａ２の属性を検索する。表示部１２は、図３に示す変化情報テーブル２３１において、変化画像５１ａ２の識別子ａ２に関連付けられた属性がＲＧＢ繰り返しであるので、変化画像５１ａ２を繰り返した図１３（ｃ）に示す設定画面２５２の割当画像６３Ｂを表示する。そして、割当部１６は、図１３（ｃ）に示す割当画像６３Ｂの色変化のパターンを、発光素子Ｂの割当情報２５Ｂに割り当てる。
【００６２】
受付部１３は、例えば、図１３（ｃ）に示す割当画像６３Ｂに含まれる、引き延ばされた変化画像５１ａ２の縮小の要求を受け付けてもよい。表示部１２は、変化画像５１ａ２の縮小の要求が受け付けられると、変換画像５１ａ２に対応する変化情報２３ａ２の属性を検索する。表示部１２は、図３に示す変化情報テーブル２３１において、変化画像５１ａ２の識別子ａ２に関連付けられた属性がＲＧＢ繰り返しであるので、変化画像５１ａ２の繰り返しを少なくした図１３（ｂ）に示す設定画面２５２の割当画像６３Ｂを表示する。そして、割当部１６は、図１３（ｂ）に示す割当画像６３Ｂの色変化のパターンを、発光素子Ｂの割当情報２５Ｂに割り当てる。
【００６３】
受付部１３は、例えば、図１３（ｂ）に示す割当画像６３Ｃに含まれる変化画像５１ａ１の引き延ばしの要求を受け付ける。表示部１２は、変化画像５１ａ１の引き延ばしの要求が受け付けられると、変換画像５１ａ１に対応する変化情報２３ａ１の属性を検索する。表示部１２は、図３に示す変化情報テーブル２３１において、変化画像５１ａ１の識別子ａ１に関連付けられた属性がＲＧＢ伸縮であるので、変化画像５１ａ１を伸長した図１３（ｃ）に示す設定画面２５２の割当画像６３Ｃを表示する。そして、割当部１６は、図１３（ｃ）に示す割当画像６３Ｃの色変化のパターンを、発光素子Ｃの割当情報２５Ｃに割り当てる。
【００６４】
受付部１３は、例えば、図１３（ｃ）に示す割当画像６３Ｃに含まれる、引き延ばされた変化画像５１ａ１の縮小の要求を受け付けてもよい。表示部１２は、変化画像５１ａ１の縮小の要求が受け付けられると、変換画像５１ａ１に対応する変化情報２３ａ１の属性を検索する。表示部１２は、図３に示す変化情報テーブル２３１において、変化画像５１ａ１の識別子ａ１に関連付けられた属性がＲＧＢ伸縮であるので、変化画像５１ａ１を縮小した図１３（ｂ）に示す設定画面２５２の割当画像６３Ｃを表示する。そして、割当部１６は、図１３（ｂ）に示す割当画像６３Ｃの色変化のパターンを、発光素子Ｃの割当情報２５Ｃに割り当てる。
【００６５】
受付部１３は、例えば、図１３（ｂ）に示す割当画像６３Ｄに含まれる変化画像５１ｂ１の引き延ばしの要求を受け付ける。表示部１２は、変化画像５１ｂ１の引き延ばしの要求が受け付けられると、変換画像５１ｂ１に対応する変化情報２３ｂ１の属性を検索する。表示部１２は、図３に示す変化情報テーブル２３１において、変化画像５１ｂ１の識別子ｂ１に関連付けられた属性がＲＧＢ維持であるので、変化画像５１ｂ１の終了の時点の色を維持した図１３（ｃ）に示す設定画面２５２の割当画像６３Ｄを表示する。そして、割当部１６は、図１３（ｃ）に示す割当画像６３Ｄの色変化のパターンを、発光素子Ｄの割当情報２５Ｄに割り当てる。
【００６６】
受付部１３は、例えば、図１３（ｃ）に示す割当画像６３Ｄに含まれる、引き延ばされた変化画像５１ｂ１の縮小の要求を受け付けてもよい。表示部１２は、変化画像５１ｂ１の縮小の要求が受け付けられると、変換画像５１ｂ１に対応する変化情報２３ｂ１の属性を検索する。表示部１２は、図３に示す変化情報テーブル２３１において、変化画像５１ｂ１の識別子ｂ１に関連付けられた属性がＲＧＢ維持であるので、変化画像５１ｂ１の終了の時点の色を短くした図１３（ｂ）に示す設定画面２５２の割当画像６３Ｄを表示する。そして、割当部１６は、図１３（ｂ）に示す割当画像６３Ｄの色変化のパターンを、発光素子Ｄの割当情報２５Ｄに割り当てる。
【００６７】
受付部１３は、例えば、変化情報テーブル２３１のレコードのドラッグと、設定画面２５２の割当画像６３上へのドロップが入力されることにより、変化情報２３と割当情報２５との関連付けを受け付けてもよい。
【００６８】
受付部１３は、例えば、図４に示す、割当情報テーブル２５１のレコードの選択を受け付けてもよい。この場合には、表示部１２は、選択されたレコードに関連付けられた割当情報２５に対応する割当画像６３を含む設定画面２５２を表示装置３０に表示させる。
受付部１３は、例えば、変化画像５１の端が選択され、ドラッグアンドドロップされることにより、変化画像５１及び割当画像６３の引き伸ばしと縮小とを受け付けてもよい。
【００６９】
図１４、図１５は、変化情報の更新の一例を示すフローチャートである。
図１４、図１５を参照して、設計支援装置による変化情報５１の更新処理について説明する。
【００７０】
図１４を参照して説明する。
配置部１１は、設計支援が開始されたか否かを判定する（Ｓ１０１）。配置部１１は、設計支援が開始されていないとき（Ｓ１０１にてＮｏ）、Ｓ１０１の処理を繰り返し実行する。設計支援が開始されるとは、例えば、設計支援装置１が起動されたとき、または受付部１３が設計支援の命令の入力を受け付けたときなどのことをいう。
【００７１】
配置部１１は、設計支援が開始されたとき（Ｓ１０１にてＹｅｓ）、形状情報２１が記憶部２０に記憶されているか否かを判定する（Ｓ１０２）。配置部１１は、形状情報２１が記憶部２０に記憶されていないとき（Ｓ１０２にてＮｏ）、Ｓ１０２の処理を繰り返し実行する。形状情報２１が記憶部２０に記憶されているときとは、記憶部２０に予め形状情報２１が記憶されている、または設計支援装置１の起動後に形状情報２１が入力され、記憶部２０に形状情報２１が記憶されたときなどのことをいう。
【００７２】
配置部１１は、形状情報２１が記憶部２０に記憶されているとき（Ｓ１０２にてＹｅｓ）、配置情報２２が記憶部２０に記憶されているか否かを判定する（Ｓ１０３）。配置部１１は、配置情報２２が記憶部２０に記憶されていないとき（Ｓ１０３にてＮｏ）、Ｓ１０３の処理を繰り返し実行する。配置情報２２が記憶部２０に記憶されているときとは、記憶部２０に予め配置情報２２が記憶されている、または設計支援装置１の起動後に配置情報２２が入力され、記憶部２０に配置情報２２が記憶されたときなどのことをいう。なお、Ｓ１０２の処理と、Ｓ１０３の処理とは、どちらが先に実行されてもよい。
【００７３】
配置部１１は、配置情報２２が記憶部２０に記憶されているとき（Ｓ１０３にてＹｅｓ）、形状情報２１と、配置情報２２とを取得し、筐体に発光素子を配置する。そして、表示部１２は、筐体に発光素子が配置された状態を示す構成画像を表示装置３０に表示させる（Ｓ１０４）。
【００７４】
表示部１２は、変化情報５１の更新処理が開始されたか否かを判定する（Ｓ１０５）。表示部１２は、更新処理が開始されていないとき（Ｓ１０５にてＮｏ）、Ｓ１０５の処理を繰り返し実行する。更新処理が開始されるとは、例えば、受付部１３により、図５に示す作成３１１または変化情報テーブル２３１のレコードの選択が受け付けられたときなどのことをいう。
【００７５】
表示部１２は、変化情報５１の更新処理が開始されたとき（Ｓ１０５にてＹｅｓ）、軸に沿って発光素子の色の変化を示す変化情報２３に対応する変化画像５１と、色を指定する色情報２４に対応する色画像５２とを含む設定画面２３２を表示する（Ｓ１０６）。
【００７６】
受付部１３は、変化画像５１の時間軸上の時点と色画像５２との関連付けの指定を受け付ける（Ｓ１０７）。受付部１３は、変化画像５１の時間軸上の時点と色画像５２との関連付けがされていないとき（Ｓ１０７にてＮｏ）、変化画像５１の変更処理を変更部１４に依頼する。
【００７７】
表示部１２は、受付部１３により、変化画像５１の時間軸上の時点と色画像５２との関連付けの指定が受け付けられたとき（Ｓ１０７にてＹｅｓ）、変更部１４に変化画像５１の時間軸と色画像５２とを関連付けて表示装置３０に表示させる（Ｓ１０８）。そして、受付部１３は、変化画像５１の変更処理を変更部１４に依頼する。
【００７８】
図１５を参照して説明する。
変更部１４は、変化画像５１の変更処理が依頼されると、変化画像５１の時間軸上の時点と色画像５２との関連付けが２点以上あるか否かを判定する（Ｓ１０９）。変更部１４は、変化画像５１の時間軸上の時点と色画像５２との関連付けが２点以上のとき（Ｓ１０９にてＹｅｓ）、設定に応じて隣り合う時点の間で変化画像５１の色を変更する（Ｓ１１０）。
【００７９】
Ｓ１１０において、変更部１４は、例えば、隣り合う時点の間で色を変化させる設定がされているとき、発光素子の色が前の時点に関連付けられた色画像５２の色から、後の時点に関連付けられた色画像５２の色に、徐々に変化するように変化画像５１を変更する。一例として、変更部１４は、例えば、図９（ｂ）の変化画像５１ｂから図９（ｃ）の変化画像５１ｃに変更する。
Ｓ１１０において、変更部１４は、例えば、隣り合う時点の間で色を固定する設定がされているとき、発光素子の色を前の時点に関連付けられた色画像５２の色に固定するように変化画像５１を変更する。一例として、変更部１４は、図９（ｂ）の変化画像５１ｂから図１０（ｅ）の変化画像５１ｅに変更する。なお、図１０（ｅ）において、色情報５２ｂが関連付けられた時点と色情報５２ｃが関連付けられた時点との間の時間には、色を変化させる設定がされている。
【００８０】
受付部１３は、隣り合う時点の間に含まれる時点の選択を受け付けたか否かを判定する（Ｓ１１１）。受付部１３は、隣り合う時点の間の時間に含まれる時点の選択を受け付けていないとき（Ｓ１１１にてＮｏ）、Ｓ１１４の処理を実行する。
受付部１３は、隣り合う時点の間に含まれる時点の選択を受け付けたとき（Ｓ１１１にてＹｅｓ）、変更部１５に変化画像５１の変更を依頼する。
【００８１】
変更部１５は、隣り合う時点の間に含まれる時点の選択が受け付けられたとき、選択された時点が含まれる隣り合う時点の間の色を固定するか、変化させるかの設定を変更する。そして、変更部１５は、設定に応じて、選択された時点が含まれる隣り合う時点の間の色を変更する（Ｓ１１２）。そして、変更部１５は、受付部１３にＳ１１４の処理の実行を依頼する。
【００８２】
変更部１５は、設定が固定に変更されたとき、隣り合う時点の間の発光素子の色を前の時点に関連付けられた色画像５２の色、または後の時点に関連付けられた色画像５２の色に固定するように、表示装置３０に表示させる変化画像５１を変更する。また、変更部１５は、設定が変化に変更されたとき、隣り合う時点の間の発光素子の色を前の時点に関連付けられた色画像５２の色、から後の時点に関連付けられた色画像５２の色に変化するように、表示装置３０に表示させる変化画像５１を変更する。
【００８３】
Ｓ１０９において、変更部１４は、変化画像５１の時間軸上の時点と色画像５２との関連付けが１点のとき（Ｓ１０９にてＹｅｓ）、色画像５２に関連付けられた時点以降を色画像５２の色に固定する。そして、変更部１５は、受付部１３にＳ１１４の処理の実行を依頼する。変更部１４は、例えば、図９（ａ）の変化画像５１ａ及び図１２（ｐ）の変化画像５１ｐに示すように、色画像５２ａの関連付けられた時点Ｔａ後の時間において、変化画像５１を色画像５２ａの色に固定する。
【００８４】
受付部１３は、色画像５２の移動を受け付けたか否かを判定する（Ｓ１１４）。変更部１４は、受付部１３により色画像５２の移動が受け付けられ（Ｓ１１４にてＹｅｓ）、色画像５２が移動されたとき、色画像５２の移動先の位置に応じて色画像５２を変化画像５１の時間軸上の新たな時点に関連付ける。そして、変更部１４は、Ｓ１１０の処理を実行する。
更新部１５は、受付部１３により色画像５２の移動が受け付けられていないとき（Ｓ１１４にてＮｏ）、変更された変化画像５１に対応するように変化情報２３を更新する。
【００８５】
受付部１３は、変化情報５１の更新処理が終了するか否かを受け付ける（Ｓ１１７）。受付部１３は、変化情報５１の更新処理の終了を受け付けると、変化情報５１の更新処理を終了する。変化情報５１の更新処理の終了を受け付けるとは、もう一度作成３１１が選択されたときなどである。表示部１２は、受付部１３により変化情報５１の更新処理の終了が受け付けられたとき、図５に示す作成３１１に代えて終了３１１を表示装置３０に表示させてもよい。
上述のＳ１０７、Ｓ１０９、Ｓ１１１、Ｓ１１４、Ｓ１１７の判定処理は、判定の対象となる操作及び要求の入力があったとき、他の処理に割り込んで実行されもよい。
【００８６】
図１６、図１７は、変化情報の割当の一例を示すフローチャートである。
図１６、図１７を参照して、設計支援装置１による変化情報５１の割当処理について説明する。以下の説明では、Ｓ１０１からＳ１０４の処理が実行され、発光素子を配置した遊技機１００が表示装置３０に表示されているものとする。
【００８７】
図１６を参照して説明する。
表示部１２は、割当処理が開始されたか否かを判定する（Ｓ２０１）。表示部１２は、割当処理が開始されていないとき（Ｓ２０１にてＮｏ）、Ｓ２０１の処理を繰り返し実行する。割当処理が開始されるとは、例えば、受付部１３により、図５に示す割当３１２、または割当情報テーブル２５１のレコードの選択が受け付けられたときなどのことをいう。
【００８８】
表示部１２は、割当情報２５の更新処理が開始されたとき（Ｓ２０１にてＹｅｓ）、例えば、図１３（ａ）に示す、再生ボタン６１と、停止ボタン６２と、割当画像６３Ａから６３Ｅとを含む設定画面２５２を表示する（Ｓ２０２）。
【００８９】
受付部１３は、発光素子が選択されているか否かを判定する（Ｓ２０３）。受付部１３は、発光素子が選択されていないとき（Ｓ２０３にてＮｏ）、Ｓ２０６の処理を実行する。受付部１３は、発光素子が選択されているとき（Ｓ２０３にてＹｅｓ）、変化情報２３が指定されているか否かを判定する（Ｓ２０４）。受付部１３は、変化情報２３が指定されていないとき（Ｓ２０４にてＮｏ）、Ｓ２０６の処理を実行する。
【００９０】
割当部１６は、受付部１３により変化情報２３が指定されているとき（Ｓ２０４にてＹｅｓ）、選択された発光素子に指定された変化情報２３を割り当てる（Ｓ２０５）。
受付部１３は、割当情報２５を再生するか否かを判定する（Ｓ２０６）。受付部１３は、割当情報２５の再生を受け付けていないとき（Ｓ２０６にてＮｏ）、Ｓ２０８の処理を実行する。
【００９１】
図１７を参照して説明する。
表示部１２は、受付部１３により割当情報２５の再生要求が受け付けられたとき（Ｓ２０６にてＹｅｓ）、発光素子に割り当てられた変化情報２３にしたがって、筐体に配置された発光素子の色、明るさ、及び点滅状態の変化を表現する動画を表示装置３０に表示させる（Ｓ２０７）。なお、発光素子の色、明るさ、及び点滅状態の変化を表現する動画とは、発光素子の色の変化のパターンを示す動画のことである。
【００９２】
受付部１３は、割当情報２５を出力するか否かを受け付ける（Ｓ２０８）。受付部１３は、割当情報２５の出力を受け付けていないとき（Ｓ２０８にてＮｏ）、Ｓ２１０の処理を実行する。出力部１７は、受付部１３により割当情報２５の出力が受け付けられたとき（Ｓ２０８にてＹｅｓ）、割当情報２５を出力する（Ｓ２０９）。
【００９３】
受付部１３は、変化情報２３の割当処理を終了するか否かを受け付ける（Ｓ２１０）。受付部１３は、変化情報２３の割当処理の終了を受け付けたとき（Ｓ２１０にてＹｅｓ）、変化情報２３の割当処理を終了する。受付部１３は、変化情報２３の割当処理の終了を受け付けていないとき（Ｓ２１０にてＮｏ）、Ｓ２０３の処理を実行する。
上述のＳ２０３、Ｓ２０４、Ｓ２０６、Ｓ２０８、Ｓ２１０の判定処理は、判定の対象となる操作及び要求の入力があったとき、他の処理に割り込んで実行されもよい。
【００９４】
図１８は、コンピュータ装置の一実施例を示すブロック図である。
図１８を参照して、コンピュータ装置３００の構成について説明する。
図１８において、コンピュータ装置３００は、制御回路３０１と、記憶装置３０２と、読書装置３０３と、記録媒体３０４と、通信インターフェイス３０５と、入出力インターフェイス３０６と、入力装置３０７と、表示装置３０８とを含む。また、通信インターフェイス３０５は、ネットワーク３０９と接続される。そして、各構成要素は、バス３１０により接続される。設計支援装置１は、コンピュータ装置３００に記載の構成要素の一部または全てを適宜選択して構成することができる。
【００９５】
制御回路３０１は、コンピュータ装置３００全体の制御をする。そして、制御回路３０１は、例えば、ＣＰＵ（Ｃｅｎｔｒａｌ  Ｐｒｏｃｅｓｓｉｎｇ  Ｕｎｉｔ）、マルチコアＣＰＵ、ＦＰＧＡ（Ｆｉｅｌｄ  Ｐｒｏｇｒａｍｍａｂｌｅ  Ｇａｔｅ  Ａｒｒａｙ）およびＰＬＤ（Ｐｒｏｇｒａｍｍａｂｌｅ  Ｌｏｇｉｃ  Ｄｅｖｉｃｅ）などのプロセッサである。そして、制御回路３０１は、例えば、図２において、制御部１０として機能する。
【００９６】
記憶装置３０２は、各種データを記憶する。そして、記憶装置３０２は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのメモリや、ＨＤ（Ｈａｒｄ  Ｄｉｓｋ）などである。記憶装置３０２は、例えば、図２において、記憶部２０として機能する。
【００９７】
また、ＲＯＭは、ブートプログラムなどのプログラムを記憶している。ＲＡＭは、制御回路３０１のワークエリアとして使用される。ＨＤは、ＯＳ、アプリケーションプログラム、ファームウェアなどのプログラム、および各種データを記憶している。記憶装置３０２は、制御回路３０１を、制御部１０として機能させる設計支援プログラムを記憶してもよい。
【００９８】
設計支援装置１は、設計支援処理をするとき、記憶装置３０２に記憶されたプログラムをＲＡＭに読み出す。ＲＡＭに読み出されたプログラムを制御回路３０１で実行することにより、設計支援装置１は、配置処理と、表示処理と、受付処理と、変更処理と、更新処理と、割当処理と、出力処理のいずれか１以上を含む設計支援処理を実行する。
【００９９】
なお、上述の各プログラムは、制御回路３０１が通信インターフェイス３０５を介してアクセス可能であれば、ネットワーク３０９上のサーバが有する記憶装置に記憶されていても良い。
【０１００】
読書装置３０３は、制御回路３０１に制御され、着脱可能な記録媒体３０４のデータのリード／ライトを行なう。そして、読書装置３０３は、例えば、ＦＤＤ（Ｆｌｏｐｐｙ  Ｄｉｓｋ  Ｄｒｉｖｅ）、ＣＤＤ（Ｃｏｍｐａｃｔ  Ｄｉｓｃ  Ｄｒｉｖｅ）、ＤＶＤＤ（Ｄｉｇｉｔａｌ  Ｖｅｒｓａｔｉｌｅ  Ｄｉｓｋ  Ｄｒｉｖｅ）、ＢＤＤ（Ｂｌｕ−ｒａｙ（登録商標）  Ｄｉｓｋ  Ｄｒｉｖｅ）およびＵＳＢ（Ｕｎｉｖｅｒｓａｌ  Ｓｅｒｉａｌ  Ｂｕｓ）などである。
【０１０１】
記録媒体３０４は、各種データを保存する。記録媒体３０４は、例えば、設計支援プログラムを記憶する。さらに、記録媒体３０４は、図２に示す、形状情報２１と、配置情報２２と、変化情報２３と、色情報２４と、割当情報２５とを記憶しても良い。そして、記録媒体３０４は、読書装置３０３を介してバス３１０に接続され、制御回路３０１が読書装置３０３を制御することにより、データのリード／ライトが行なわれる。
【０１０２】
また、記録媒体３０４は、例えば、ＳＤメモリーカード（ＳＤ  Ｍｅｍｏｒｙ  Ｃａｒｄ）、ＦＤ（Ｆｌｏｐｐｙ  Ｄｉｓｋ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ：登録商標）、およびフラッシュメモリなどの非一時的記録媒体である。
【０１０３】
通信インターフェイス３０５は、ネットワーク３０９を介してコンピュータ装置３００と他の装置とを通信可能に接続する。また、通信インターフェイス３０５は、無線ＬＡＮの機能を有するインターフェイス、および近距離無線通信機能を有するインターフェイスを含んでも良い。そして、無線ＬＡＮインターフェイスは、例えば、無線ＬＡＮ規格として、Ｗｉ−Ｆｉ（登録商標）をサポートしても良い。近距離無線インターフェイスは、例えば、近距離無線通信規格として、Ｂｌｕｅｔｏｏｔｈ（登録商標）をサポートしても良い。ＬＡＮは、Ｌｏｃａｌ  Ａｒｅａ  Ｎｅｔｗｏｒｋの略である。
【０１０４】
入出力インターフェイス３０６は、例えば、キーボード、マウス、およびタッチパネルなどの入力装置３０７と接続され、接続された入力装置３０７から各種情報を示す信号が入力されると、バス３１０を介して入力された信号を制御回路３０１に出力する。また、入出力インターフェイス３０６は、制御回路３０１から出力された各種情報を示す信号がバス３１０を介して入力されると、接続された各種装置にその信号を出力する。
【０１０５】
入力装置３０７は、例えば、形状情報２１と、配置情報２２と、受付部１３により受付けられる情報、操作及び要求の入力を受け付けても良い。入力装置３０７は、例えば、図２において、入力装置４０として機能する。
【０１０６】
表示装置３０８は、各種情報を表示する。表示装置３０８は、タッチパネルでの入力を受け付けるための情報を表示しても良い。表示装置３０８は、例えば、図２において、表示装置３０として機能する。
【０１０７】
入出力インターフェイス２０６、入力装置２０７、及び表示装置２０８は、ＧＵＩとして機能してもよい。これにより、コンピュータ装置２００は、例えば、図５に示す表示画面を表示装置２０８に表示させ、タッチパネルやマウスなどの入力装置２０７を用いた直感的な操作により、入出力インターフェイス２０６を介して制御部１０への各種要求及び情報の入力を受け付ける。
ネットワーク３０９は、例えば、ＬＡＮ、無線通信、またはインターネットなどであり、コンピュータ装置３００と他の装置を通信接続する。
【０１０８】
以上のように、設計支援装置１は、発光素子の色の変化のパターンを示す変化画像５１を確認しながら、変化画像５１の軸上の時点と色画像５２とを関連付けることで、自動的に変更した変化画像５１に対応する変化情報２３を作成する。したがって、設計支援装置１は、発光素子の色の変化のパターンの作成を簡略化することができる。
【０１０９】
設計支援装置１は、変化画像５１の軸上の時点に関連付けられている色画像５２を移動させることにより、新たな時点と色画像５２とを関連付け、自動的に変更した変化画像５１に対応する変化情報２３を作成する。したがって、設計支援装置１は、発光素子の色の変化のパターンの作成を簡略化することができる。
【０１１０】
設計支援装置１は、複数の色画像５２を変化画像５１の軸上の時点と関連付けると、隣り合う色画像５２の間で徐々に色が変化するように、自動的に変更した変化画像５１に対応する変化情報２３を作成する。したがって、設計支援装置１は、発光素子の色の変化のパターンの作成を簡略化することができる。
【０１１１】
設計支援装置１は、複数の色画像５２を変化画像５１の軸上の時点と関連付けた状態で、隣り合う色画像の間の時点が選択されると、隣り合う色画像の間の色を固定するように変更し、自動的に変更した変化画像５１に対応する変化情報２３を作成する。したがって、設計支援装置１は、発光素子の色の変化のパターンの作成を簡略化することができる。
【０１１２】
設計支援装置１は、筐体の形状情報と、筐体に配置される発光素子の配置情報とを用いて、筐体に発光素子を配置した画像を表示装置３０に表示し、発光素子の選択を受け付ける。さらに、設計支援装置１は、選択された発光素子に対応する割当情報２５と変化情報２３との関連付けを受け付け、発光素子の発光を制御する割当情報２５を作成する。したがって、設計支援装置１は、発光素子の色の変化のパターンの作成を簡略化することができる。
【０１１３】
設計支援装置１は、作成した割当情報２５に対応する発光素子の色を表現する動画を再生する。したがって、設計支援装置１は、ユーザに作成中の発光素子の発光のパターンを容易に確認させることができる。
【０１１４】
設計支援装置１は、要求に応じて、割当情報２５を出力する。したがって、設計支援装置１は、発光素子の色の変化のパターンの作成結果を容易に取得することができる。
【０１１５】
なお、本実施形態は、以上に述べた実施形態に限定されるものではなく、本実施形態の要旨を逸脱しない範囲内で種々の構成または実施形態を取ることができる。
【符号の説明】
【０１１６】
１  設計支援装置
１０  制御部
２０  記憶部
３０  表示装置
４０  入力装置
１００  遊技機
３００  コンピュータ装置
３０１  制御回路
３０２  記憶装置
３０３  読書装置
３０４  記録媒体
３０５  通信Ｉ/Ｆ
３０６  入出力Ｉ/Ｆ
３０７  入力装置
３０８  表示装置
３０９  ネットワーク
３１０  バス
【図１】
2019111295.tif 000003
【図２】
2019111295.tif 000004
【図３】
2019111295.tif 000005
【図４】
2019111295.tif 000006
【図５】
2019111295.tif 000007
【図６】
2019111295.tif 000008
【図７】
2019111295.tif 000009
【図８】
2019111295.tif 000010
【図９】
2019111295.tif 000011
【図１０】
2019111295.tif 000012
【図１１】
2019111295.tif 000013
【図１２】
2019111295.tif 000014
【図１３】
2019111295.tif 000015
【図１４】
2019111295.tif 000016
【図１５】
2019111295.tif 000017
【図１６】
2019111295.tif 000018
【図１７】
2019111295.tif 000019
【図１８】
2019111295.tif 000020
【手続補正書】
【提出日】平成30年8月9日(2018.8.9)
【手続補正１】
【補正対象書類名】明細書
【補正対象項目名】００５５
【補正方法】変更
【補正の内容】
【００５５】
再生ボタン６１は、発光素子に割り当てた色の変化のパターンの再生を受け付けるボタンである。再生ボタン６１が選択されると、表示部１２は、割当情報２５に含まれる発光素子に割り当てた色の変化のパターンを表すように、遊技機１００上の発光素子の色、明るさ、及び点滅状態が変化する動画を、表示装置３０に表示させる。
停止ボタン６２は、発光素子に割り当てた色の変化のパターンの再生の停止を受け付けるボタンである。停止ボタン６２が選択されると、表示部１２は、再生している遊技機１００上の発光素子の色、明るさ、及び点滅状態が変化する動画を停止する。
割当画像６３は、時間軸に沿って、発光素子に割り当てられた色の変化のパターンを示す画像である。割当画像６３の横軸は、時間軸を示す。割当画像６３Ａから６３Ｅは、それぞれ発光素子ＡからＥの色の変化のパターンを示す画像である。以下の説明では、一例として、発光素子ＡからＥが選択され、それぞれに対応する割当情報２５を作成するものとして説明する。